(57)【要約】【課題】患者と医療介護従事者との面会予定が適切か否かを判断するための利便性が良好なサーバ及び当該サーバを含むシステムを提供すること。【解決手段】患者の生体情報及び医療介護従事者の勤務スケジュール情報を保存可能なサーバ２である。サーバ２は、生体情報に基づいて、患者の容態変化データを生成する。サーバ２は、容態変化データと勤務スケジュール情報に関連する患者別スケジュールデータとに基づき、患者の容態変化と、患者の診療スケジュールと、を示す表示用データを生成する。【選択図】図２
2020170229.tif 000002
【特許請求の範囲】
【請求項１】
患者の生体情報及び医療介護従事者の勤務スケジュール情報を保存可能なサーバであって、
前記サーバは、前記生体情報に基づいて、前記患者の容態変化データを生成し、
前記サーバは、前記容態変化データと前記勤務スケジュール情報に関連する患者別スケジュールデータとに基づき、前記患者の容態変化と、前記患者の診療スケジュールと、を示す表示用データを生成する、サーバ。
【請求項２】
前記サーバは、前記勤務スケジュール情報に基づいて、前記医療介護従事者の患者別スケジュールデータを生成する、請求項１に記載のサーバ。
【請求項３】
前記サーバは、前記患者の容態ごとに予め設定された診療間隔に関する情報をさらに保存可能であり、
前記サーバは、前記診療間隔に関する情報と前記患者別スケジュールデータとに基づき、前記患者に関する診療間隔が適切であるか否かを判断し、
前記サーバが前記患者に関する診療間隔が適切でないと判断した場合、前記患者に関する診療間隔が適切でないことを示す情報を含む前記表示用データを生成する、請求項１または２に記載のサーバ。
【請求項４】
前記患者に関する診療間隔が適切でないことを示す情報は、前記患者別スケジュールデータに関する変更候補データを含む、請求項３に記載のサーバ。
【請求項５】
前記患者別スケジュールデータは、複数の前記医療介護従事者に関する前記患者別スケジュールデータを含む、請求項１から４のいずれか一項に記載のサーバ。
【請求項６】
前記表示用データは、前記サーバが前記表示用データを生成する時点よりも少なくとも後の前記患者別スケジュールデータと、前記時点以前の前記容態変化データと、を含む、請求項１から５のいずれか一項に記載のサーバ。
【請求項７】
前記容態変化データは、前記生体情報を時系列に連続的に並べたデータ及び前記生体情報に基づく分析データを含む、請求項１から６のいずれか一項に記載のサーバ。
【請求項８】
前記サーバは、前記生体情報を測定する者に関する情報をさらに保存可能であり、
前記サーバは、前記容態変化データと、前記患者別スケジュールデータと、前記生体情報を測定する者に関する情報と、に基づき、前記表示用データを生成する、請求項１から７のいずれか一項に記載のサーバ。
【請求項９】
情報機器と、
患者の生体情報及び医療介護従事者の勤務スケジュール情報を保存可能なサーバと、
前記サーバに医療情報を送信可能な通信機器と、
患者の生体情報を測定可能な測定機器と、
を含むシステムであって、
前記情報機器は表示部を有しており、
前記測定機器は、前記通信機器を介して前記サーバと通信可能であり、
前記情報機器は、前記サーバとネットワークを介して通信可能であり、
前記サーバは、前記生体情報に基づいて、前記患者の容態変化データを生成し、
前記サーバは、前記容態変化データと前記勤務スケジュール情報に関連する患者別スケジュールデータとに基づき、前記患者の容態変化と、前記患者の診療スケジュールと、を示す表示用データを生成し、
前記表示用データを前記表示部に表示させる、システム。
【請求項１０】
前記サーバは、前記患者の容態ごとに予め設定された診療間隔に関する情報と、をさらに保存可能であり、
前記サーバは、前記診療間隔に関する情報と前記患者別スケジュールデータとに基づき、前記患者に関する診療間隔が適切であるか否かを判断し、
前記サーバが前記患者に関する診療間隔が適切でないと判断した場合、前記患者に関する診療間隔が適切でないことを示す情報が前記表示部に表示される、請求項９に記載のシステム。
【発明の詳細な説明】
【技術分野】
【０００１】
本発明は、サーバ及びシステムに関する。
【背景技術】
【０００２】
表示部に生体情報と投薬情報とを併せて表示させる医療用表示装置が知られている（特許文献１参照）。
【先行技術文献】
【特許文献】
【０００３】
【特許文献１】特開２０１６−０８６９７２号公報
【発明の概要】
【発明が解決しようとする課題】
【０００４】
特許文献１に開示された医療用表示装置によれば、医療介護従事者は、患者の生体情報と投薬情報を一覧的に確認することができる。そのため、医療介護従事者は、生体情報と投薬情報の観点から、患者の容態変化を把握することができる。しかし、例えば、患者の容態が悪化している場合において、医療介護従事者が患者と医療介護従事者との面会頻度が適切か否か判断するには、画面を切り替えて医療介護従事者の勤務スケジュールを確認したり、別の情報端末や情報機器を用いて医療介護従事者の勤務スケジュールを確認したりする必要がある。
【０００５】
本発明は、患者に対する医療介護従事者の診療間隔が適切か否かを判断するための利便性が良好なサーバ及びシステムを提供することを目的とする。
【課題を解決するための手段】
【０００６】
本発明の一態様に係るサーバは、
患者の生体情報及び医療介護従事者の勤務スケジュール情報を保存可能なサーバであって、
前記サーバは、前記生体情報に基づいて、前記患者の容態変化データを生成し、
前記サーバは、前記容態変化データと前記勤務スケジュール情報に関連する患者別スケジュールデータとに基づき、前記患者の容態変化と、前記患者の診療スケジュールと、を示す表示用データを生成する、表示用データを生成する。
【０００７】
上記構成に係るサーバによれば、患者の容態変化データと医療介護従事者の勤務スケジュール情報に関連する患者別スケジュールデータとに基づき、患者の容態変化と、患者の診療スケジュールと、を示す表示用データが生成される。このため、患者の容態変化に関する情報と患者の診療スケジュール情報とが、表示画面上に一緒に表示される。
このように、上記構成によれば、患者に対する医療介護従事者の医療間隔が適切か否かを判断するための利便性が良好なサーバを提供することができる。
【０００８】
本発明の一態様に係るシステムは、
情報機器と、
患者の生体情報及び医療介護従事者の勤務スケジュール情報を保存可能なサーバと、
前記サーバに医療情報を送信可能な通信機器と、
患者の生体情報を測定可能な測定機器と、
を含むシステムであって、
前記情報機器は表示部を有しており、
前記測定機器は、前記通信機器を介して前記サーバと通信可能であり、
前記情報機器は、前記サーバとネットワークを介して通信可能であり、
前記サーバは、前記生体情報に基づいて、前記患者の容態変化データを生成し、
前記サーバは、前記容態変化データと前記勤務スケジュール情報に関連する患者別スケジュールデータとに基づき、前記患者の容態変化と、前記患者の診療スケジュールと、を示す表示用データを生成し、
前記表示用データを前記表示部に表示させる。
【０００９】
上記構成に係るシステムによれば、患者の容態変化データと医療介護従事者の勤務スケジュール情報に関連する患者別スケジュールデータとに基づき、患者の容態変化と、患者のスケジュールと、を示す表示用データが生成される。そして、その表示用データは、情報機器の表示部に表示される。このため、患者の容態変化に関する情報と患者のスケジュール情報とが、表示画面上に一緒に表示される。
このように、上記構成によれば、患者に対する医療介護従事者の診療間隔が適切か否かを判断するための利便性が良好なシステムを提供することができる。
【発明の効果】
【００１０】
本発明によれば、患者に対する医療介護従事者の診療間隔が適切か否かを判断するための利便性が良好なサーバ及びシステムを提供することができる。
【図面の簡単な説明】
【００１１】
【図１】本発明の一実施形態に係るシステムの構成図である。
【図２】本発明の一実施形態に係る情報機器、サーバ、測定機器の機能ブロック図である。
【図３】医療介護従事者の勤務スケジュール情報に関する図である。
【図４】本発明の一実施形態に係るシステムの動作に関するシーケンス図である。
【図５】情報機器の表示部に表示される表示画面の一例を示す図である。
【図６】適切な診療間隔の基準を示す図である。
【図７】情報機器の表示部に表示される表示画面の一例を示す図である。
【図８】情報機器の表示部に表示される表示画面の一例を示す図である。
【図９】情報機器の表示部に表示される表示画面の一例を示す図である。
【発明を実施するための形態】
【００１２】
以下、本発明の実施形態について図面を参照しながら説明する。尚、本実施形態の説明において既に説明された要素と同一の参照番号を有する要素については、説明の便宜上、その説明は省略する。
【００１３】
（第一実施形態）
図１は、本発明の実施形態（以下、単に「本実施形態」という。）に係るシステム１００の構成図である。図１に示すように、システム１００は、情報機器１と、サーバ２と、測定機器３と、ゲートウェイ機器４（通信機器の一例）と、を含む。情報機器１とサーバ２はネットワークＮを介して通信可能に接続されている。サーバ２と測定機器３は、ゲートウェイ機器４及びネットワークＮを介して通信可能に接続されている。ネットワークＮは、汎用のインターネットネットワークである。
【００１４】
図２は、情報機器１、サーバ２、測定機器３の機能ブロック図である。図２に示されるように、情報機器１は、表示部１１と、操作部１２と、制御部１３と、通信インターフェース（通信ＩＦ）１４と、を備える。これらはバス１５を介して互いに通信可能に接続されている。情報機器１としては、例えば、デスクトップタイプのＰＣ、ノートＰＣ、タブレット端末、スマートフォン等の電子機器が利用され得る。
【００１５】
表示部１１は、液晶ディスプレイ、有機ＥＬディスプレイ等のタッチスクリーン型のディスプレイ等であって、画像（操作画像や医療情報に関する画像等）を表示するように構成されている。
【００１６】
操作部１２は、情報機器１を操作する操作者の入力操作を受け付けると共に、当該入力操作に対応する指示信号を生成するように構成されている。操作部１２は、例えば、表示部１１上に重ねて配置されたタッチパネル、情報機器１の筐体に取り付けられた操作ボタン等である。操作部１２は、患者情報の画面を表示部１１に表示させるための入力操作や、表示画面を切り換えるための入力操作や、サーバ２に所定の指示を行うための入力操作等を受け付けて、当該入力操作に対応する指示信号を生成する。生成された指示信号は、バス１５を介して制御部１３に送信される。制御部１３は、指示信号に基づいて、情報機器１の動作を制御するように構成されている。また、操作部１２が受け付けた入力操作がサーバ２に所定の指示を行うための入力操作であるとき、制御部１３は、当該入力操作に基づく指示信号をサーバ２に送信するように構成されている。
【００１７】
制御部１３は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭに組み込まれた各種プログラムから指定されたプログラムをＲＡＭ上に展開し、ＲＡＭとの協働で各種処理を実行するように構成されている。
【００１８】
通信インターフェース１４は、ネットワークＮへの接続を可能にするインターフェースである。通信インターフェース１４を介して、情報機器１は、ネットワークＮに接続されたサーバ２と適宜に通信することができる。
【００１９】
図２に示されるように、サーバ２は、制御部２１と、通信インターフェース（通信ＩＦ）２２と、を備える。これらはバス２３を介して互いに通信可能に接続されている。
【００２０】
制御部２１は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭに組み込まれた各種プログラムから指定されたプログラムをＲＡＭ上に展開し、ＲＡＭとの協働で後述する保存部２１１、生成部２１２等の各種処理を実行するように構成されている。
【００２１】
制御部２１は、保存部２１１と、生成部２１２とを備える。保存部２１１は、患者情報、患者の生体情報、生体情報を測定する者に関する情報（測定者情報）、患者が受ける予定の医療介護サービスに関する情報（患者の診療スケジュール情報）、医療介護従事者の勤務スケジュール情報、適切な診療間隔の基準に関する情報等を保存可能である。患者情報としては、例えば、患者の年齢、性別、血液型、持病、既往症等に関する情報である。医療介護従事者としては、医師、看護師、薬剤師、介護福祉士等の医療分野や介護分野に携わる者である。医療介護従事者の勤務スケジュール情報とは、医療介護従事者の勤務日時および休暇に関する情報である。適切な診療間隔の基準に関する情報とは、患者の容態にマッチする医療介護従事者の種別及び適切な診療間隔に関する情報である。当該診療間隔は任意に設定可能である。また、本明細書における「患者」という語句には、医療サービス又は介護サービスを受ける者が含まれる。生成部２１２は、保存部２１１に保存された患者の生体情報から、当該患者の容態変化データを生成する。容態変化データとは、例えば、当該患者の血圧の変化、体温の変化、ＳｐＯ２（経皮的動脈血酸素飽和度）の変化、体重の変化、血糖値の変化等といった、未加工の生体情報を時系列に連続的に並べたデータや、これらの未加工の生体情報に基づく分析データ等である。
【００２２】
生成部２１２は、保存部２１１に保存された医療介護従事者の勤務スケジュール情報に基づき、医療介護従事者の患者別スケジュールデータを生成する。医療介護従事者の患者別スケジュールデータとは、患者別に生成される、当該医療介護従事者の出勤日時に関するデータである。つまり、患者別スケジュールデータとは、当該医療介護従事者が、当該患者への問診や訪問を行う日時に関するデータである。なお、患者別スケジュールデータは、複数の医療介護従事者（例えば、医師、看護師、介護福祉士等）の患者別スケジュールデータを含んでいてもよい。
【００２３】
ここで、図３を参照しつつ、生成部２１２が患者別スケジュールデータを生成する過程について説明する。図３は、医療介護従事者の勤務スケジュール情報に関する図である。なお、本実施形態では、光電太郎は医師、光電彩子は看護師、光電久美子は介護福祉士として説明する。また、その他の者（光電花子、光電次郎、光電三郎、光電四郎、光電明子）は患者として説明する。
【００２４】
図３（ａ）は、光電太郎の勤務スケジュール情報に関する図である。図３（ａ）に示されるように、例えば、光電太郎は、２０１８年７月７日において、外来患者の対応をする予定である。また、光電太郎は、２０１８年７月８日の１５：００〜１６：００において、光電次郎の訪問診療を行う予定である。さらに、光電太郎は、２０１８年７月１１日に休暇を取得する予定である。
【００２５】
図３（ｂ）は、光電彩子の勤務スケジュール情報に関する図である。図３（ｂ）に示されるように、光電彩子は、例えば、２０１８年７月８日の１３：００〜１５：００において、光電明子の在宅看護を行う予定である。また、光電彩子は、２０１８年７月１２日に休暇を取得する予定である。
【００２６】
図３（ｃ）は、光電久美子の勤務スケジュール情報に関する図である。図３（ｃ）に示されるように、光電久美子は、例えば、２０１８年７月７日において、光電花子の在宅介護を行う予定である。また、光電久美子は、２０１８年７月１０日に休暇を取得する予定である。
【００２７】
生成部２１２は、各医療介護従事者（光電太郎、光電彩子、及び光電久美子）の勤務スケジュール情報を結合させ、その後、当該結合された勤務スケジュール情報を患者ごとに分割する。このようにして、生成部２１２は、各医療介護従事者の勤務スケジュール情報に基づき、患者別スケジュールデータを生成する。
なお、生成部２１２は、患者別スケジュールデータを編集し、編集された患者別スケジュールデータを基に、各医療介護従事者の勤務スケジュール情報に、患者別スケジュールデータの編集結果を反映させても良い。この場合、例えば、医療介護従事者は、情報機器１の操作部１２に、サーバ２の生成部２１２に患者別スケジュールデータを編集させるための入力操作を行う。操作部１２は、当該入力操作に対応する指示信号を生成する。当該指示信号は制御部１３を介して、サーバ２に送信される。サーバ２が当該指示信号を受信すると、サーバ２の生成部２１２は、当該指示信号に基づいて、患者別スケジュールデータを編集する。そして、生成部２１２は、編集された患者別スケジュールデータを基に、医療介護従事者の勤務スケジュール情報に、患者別スケジュールデータの編集結果を反映させる。
【００２８】
このように、医療介護従事者の勤務スケジュール情報と患者別スケジュールデータは、連動している。このような意味において、医療介護従事者の勤務スケジュール情報と患者別スケジュールデータは関連している。
【００２９】
図２に戻って生成部２１２について説明する。生成部２１２は、保存部２１１に保存された患者の容態変化データと、各医療介護従事者の患者別スケジュールデータと、に基づき、患者の容態変化と、患者の診療スケジュールと、を示す表示用データを生成する。このとき、表示用データは患者ごとに生成される。このため、当該表示用データは、複数の表示用データを含み得る。
【００３０】
また、生成部２１２は、保存部２１１に保存された医療介護従事者の患者別スケジュールデータと適切な診療間隔の基準に関する情報とに基づき、患者に関する診療間隔が適切であるか否か判断することができる。生成部２１２は、患者に関する診療間隔が不適切であると判断すると、患者に関する診療間隔が適切でないことを示す情報を含む表示用データを生成する。また、患者に関する診療間隔が適切でないことを示す情報は、患者別スケジュールデータに関する変更候補データを含む。さらに、表示用データは、生成部２１２が表示用データを生成する時点よりも少なくとも後の患者別スケジュールデータと、生成部２１２が表示用データを生成する時点以前の容態変化データと、を含む。
【００３１】
通信インターフェース２２は、ネットワークＮへの接続を可能にするインターフェースである。通信インターフェース２２を介して、サーバ２は、ネットワークＮに接続された情報機器１、及びゲートウェイ機器４を介してネットワークＮに接続された測定機器３と適宜に通信することができる。
【００３２】
図２に示されるように、測定機器３は、測定部３１と、入力操作部３２と、制御部３３と、通信インターフェース（通信ＩＦ）３４と、を備える。これらはバス３５を介して互いに通信可能に接続されている。測定機器３としては、例えば、血圧計、体温計、パルスオキシメータ、体重計、血糖測定器等である。
【００３３】
測定部３１は、患者の生体情報を測定することができる。患者の生体情報としては、血圧、体温、ＳｐＯ２、体重、血糖値等である。
【００３４】
入力操作部３２は、測定機器３を操作する操作者の入力操作を受付けると共に、当該入力操作に対応する指示信号を生成するように構成されている。入力操作部３２は、例えば、測定機器３の表示画面上に重ねて配置されたタッチパネルや、測定機器３の筐体に取り付けられた操作ボタン、イベントスイッチ等である。入力操作部３２は、例えば、生体情報の取得を開始するための入力操作を受け付けて、当該入力操作に対応する指示信号を生成する。生成された指示信号は、バス３５を介して制御部３３に送信される。制御部３３は、指示信号に基づいて、測定機器３の動作を制御するように構成されている。
【００３５】
制御部３３は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭに組み込まれた各種プログラムから指定されたプログラムをＲＡＭ上に展開し、ＲＡＭとの協働で各種処理を実行するように構成されている。
【００３６】
通信インターフェース３４は、ゲートウェイ機器４への接続を可能にするインターフェースである。測定機器３とゲートウェイ機器４とは、例えば、Ｗｉ−Ｆｉを用いた通信や近距離無線通信等により接続される。通信インターフェース３４及びゲートウェイ機器４を介して、測定機器３は、ネットワークＮに接続されたサーバ２と適宜に通信することができる。
【００３７】
ゲートウェイ機器４は、例えば、ルータである。ゲートウェイ機器４は、測定機器３により測定された生体情報を二つ以上の異なるネットワーク間に中継する通信機器である。ゲートウェイ機器４を介して、測定機器３はネットワークＮに接続される。その結果、測定機器３はサーバ２と通信可能になる。なお、測定機器３とサーバ２は、ゲートウェイ機器４を介さずに直接データの送受信を行っても良い。
【００３８】
ゲートウェイ機器４は略直方体の筐体を有する。ゲートウェイ機器４の幅及び奥行は約１０センチメートルであり、高さは約４センチメートルである。ゲートウェイ機器４の重さは約１２０グラムである。このように、ゲートウェイ機器４は小型でかつ軽量である。
【００３９】
図４は、本発明の一実施形態に係るシステム１００の動作に関するシーケンス図である。測定機器３により、患者の生体情報が測定される（ステップＳ１）。例えば、患者の生体情報の測定は医療介護従事者によって行われる。なお、患者自身が患者の生体情報を測定してもよい。測定された患者の生体情報及び測定者情報は、測定機器３の制御部３３によって、ゲートウェイ機器４に送信される（ステップＳ２）。ゲートウェイ機器４は、受信した生体情報及び測定者情報を、ネットワークＮを介して、サーバ２に送信する（ステップＳ３）。サーバ２は、受信された生体情報及び測定者情報を保存部２１１に保存する（ステップＳ４）。
【００４０】
サーバ２の生成部２１２は、保存部２１１に保存された患者の生体情報に基づき、当該患者の容態変化を示す容態変化データを生成する（ステップＳ５）。生成部２１２は、例えば、当該患者の体温に関するデータを時系列に連続的に並べたデータを生成する。また、生成部２１２は、例えば、当該患者の複数の生体情報に基づいた、患者の容態変化に関する分析データを生成する。容態変化データは、保存部２１１に保存される（ステップＳ６）。
【００４１】
一方で、医療介護従事者は、自身の勤務スケジュール情報を、情報機器１の操作部１２を介して入力する（ステップＳ７）。当該操作が行われると、勤務スケジュール情報をサーバ２に送信するための指示信号が生成される。生成された指示信号は、バス１５を介して制御部１３に送信される。制御部１３は、指示信号に基づいて、勤務スケジュール情報をサーバ２に送信するよう、情報機器１を制御する（ステップＳ８）。サーバ２は、受信した勤務スケジュール情報を保存部２１１に保存する（ステップＳ９）。
【００４２】
サーバ２の生成部２１２は、保存部２１１に保存された医療介護従事者の勤務スケジュール情報に基づき、患者ごとの医療介護従事者の患者別スケジュールデータを生成する（ステップＳ１０）。なお、患者別スケジュールデータは、複数の医療介護従事者の患者別スケジュールデータを含んでいてもよい。生成部２１２によって生成された当該患者別スケジュールデータは、保存部２１１に保存される。
【００４３】
サーバ２の生成部２１２は、保存部２１１に保存された対象となる患者の容態変化データと、当該患者に関する医療介護従事者の患者別スケジュールデータに基づいて、患者の容態変化と、患者の診療スケジュールと、を示す表示用データを生成する（ステップＳ１１）。なお、生成部２１２は、患者の容態変化と患者の診療スケジュールのみならず、測定者情報にも基づいて、表示用データを生成してもよい。当該表示用データは、ネットワークＮを介して、サーバ２から情報機器１に送信される（ステップＳ１２）。
【００４４】
情報機器１の制御部１３は、受信した表示用データに基づく表示画面を表示するよう、表示部１１を制御する（ステップＳ１３）。
【００４５】
尚、ステップＳ１〜Ｓ６とステップＳ７〜Ｓ９は、どちらが先に実行されてもよい。
また、ステップＳ１１〜Ｓ１３は、医療介護従事者による情報機器１への表示要求操作に基づき、実行されてもよい。
【００４６】
図５は、情報機器１の表示部１１に表示される表示画面の一例を示す図である。表示部１１に表示される画像は、第一表示領域１１Ａと、第二表示領域１１Ｂと、を含む。第一表示領域１１Ａは、表示部１１の上側に配置されている。第二表示領域１１Ｂは、表示部１１の下側に配置されている。第一表示領域１１Ａの左上側及び第二表示領域１１Ｂの左上側には患者名が表示されている。図５に示す表示画面において、第一表示領域１１Ａには、患者の生体情報及び容態変化に関する情報が表示されている。第二表示領域１１Ｂには、患者の診療スケジュールが表示されている。また、本実施形態では、２０１８年７月６日を現時点とする。なお、図５に示される表示画面は、サーバ２の生成部２１２が、２０１８年７月６日において生成した表示用データに基づくものである。
【００４７】
第一表示領域１１Ａには、２０１８年７月２日から２０１８年７月１２日における、光電花子の体温及びＳｐＯ２の推移を示すグラフＧ１及びグラフＧ２が表示されている。本実施形態では、現時点（２０１８年７月６日）での表示画面を示している。このため、グラフＧ１及びグラフＧ２は、２０１８年７月６日までに測定された生体情報に基づいて生成されたグラフである。
【００４８】
第一表示領域１１Ａにおいて、患者名の下方には、当該患者の生体情報の項目が表示されている。本実施形態では、体温とＳｐＯ２が表示されている。
【００４９】
各項目の下方には、各項目の目盛りが表示されている。本実施形態では、体温及びＳｐＯ２の目盛りが表示されている。尚、本実施形態では、２０１８年７月２日における光電花子の体温は３６．０℃である。同年７月３日及び７月４日における光電花子の体温は３７．５℃である。２０１８年７月５日における光電花子の体温は３８．５℃である。２０１８年７月６日における光電花子の体温は３９．２℃である。同様に、２０１８年７月２日における光電花子のＳｐＯ２は９８％である。２０１８年７月３日における光電花子のＳｐＯ２は９３％である。２０１８年７月４日における光電花子のＳｐＯ２は９５％である。２０１８年７月５日における光電花子のＳｐＯ２は９０％である。２０１８年７月６日における光電花子のＳｐＯ２は８５％である。
【００５０】
光電花子のＳｐＯ２の目盛りが表示されている部分の右側には、グラフＧ１及びグラフＧ２が表示されている。グラフＧ１上にプロットされている点は、対応する日における光電花子の体温を示す。グラフＧ１上にプロットされている点は円形である。グラフＧ２上にプロットされている点は、対応する日における光電花子のＳｐＯ２を示す。グラフＧ２上にプロットされている点は三角形である。なお、グラフＧ１、Ｇ２上にプロットされている点の形状は、円形および三角形に限られないことはもちろんである。グラフＧ１、Ｇ２は、折れ線グラフである。このため、医療介護従事者は、情報機器１の表示部１１を見るだけで患者の容態変化を知ることができる。尚、図５に示されたグラフＧ１、Ｇ２は、折れ線グラフであるがこの例に限られない。医療介護従事者が患者の容態変化を把握することができるグラフであればよく、グラフＧ１、Ｇ２は、例えば、棒グラフ等であってもよい。
【００５１】
患者の生体情報が、医療介護従事者によって測定されたとき、グラフＧ１上の点及びグラフＧ２上の点は、例えば色付けされる。例えば、患者の生体情報が医師によって測定された場合、これらの点は緑色が付される。患者の生体情報が看護師によって測定された場合、これらの点は黄色が付される。患者の生体情報が介護福祉士によって測定された場合、これらの点は青色が付される。尚、図５に示す実施形態では、色の代わりにハッチングが付されている。緑色に対応するハッチングは、左上から右下に傾斜する斜線である。黄色に対応するハッチングは、横線である。青色に対応するハッチングは、縦線である。他方、例えば、患者の生体情報が患者自身によって測定されたとき、グラフＧ１上の点及びグラフＧ１上の点は色付けされない。
【００５２】
図５に示す実施形態において、２０１８年７月２日及び同年７月３日における光電花子の体温及びＳｐＯ２は、光電久美子によって測定されている。このため、対応するグラフＧ１及びＧ２上の点には青色が付されている。２０１８年７月４日及び同年７月５日における光電花子の体温及びＳｐＯ２は、光電彩子によって測定されている。このため、対応するグラフＧ１及びＧ２上の点には黄色が付されている。２０１８年７月６日における光電花子の体温及びＳｐＯ２は、光電太郎によって測定されている。このため、対応するグラフＧ１及びＧ２上の点には緑色が付されている。
【００５３】
第二表示領域１１Ｂには、２０１８年７月２日から２０１８年７月１２日における、光電花子の診療スケジュールが表示されている。第二表示領域１１Ｂの上部には、第一表示領域１１Ａに表示された患者と同じ患者の名前が表示されている。本実施形態では、光電花子の名前が表示されている。患者名の表示部分の下方には、第一表示領域１１Ａに表示されている期間と同じ期間の日付が左右方向に並んでいる。本実施形態では、２０１８年７月２日から２０１８年７月１２日までの日付が第二表示領域１１Ｂに表示されている。尚、当該期間は任意に設定可能である。各日付の下方には、患者の診療スケジュールが時間帯ごとに、上下方向に延びるようにして表示されている。２０１８年７月２日から同年７月３日において、光電花子は、光電久美子による在宅介護サービスを受けている。２０１８年７月４日の１３：００から１５:００の時間帯と、同年７月５日の１３：００から１５:００の時間帯において、光電花子は、光電彩子による在宅看護サービスを受けている。２０１８年７月６日の１０：００から１１:００の時間帯において、光電花子は、光電太郎による訪問診療サービスを受けている。また、２０１８年７月７日において、光電花子は、光電久美子による在宅介護サービスを受ける予定である。２０１８年７月８日の１０：００から１２:００の時間帯と、同年７月９日の１０：００から１２:００の時間帯において、光電花子は、光電彩子による在宅看護サービスを受ける予定である。２０１８年７月１０日の１３：００から１４:００の時間帯において、光電花子は、光電太郎による訪問診療サービスを受ける予定である。２０１８年７月１１日から同年７月１２日において、光電花子は、光電久美子による在宅介護サービスを受ける予定である。なお、第二表示領域１１Ｂにおいて、医療介護従事者の種別が認識可能なように、表示文字の色、背景色等を適宜変更しても良い。このように、光電花子の診療スケジュールには、複数の医療介護従事者（光電久美子、光電彩子、光電太郎）に関するスケジュールが含まれている。また、図５に示される画面には、現時点（２０１８年７月６日）以前および現時点よりも後の光電花子の診療スケジュールと、現時点（２０１８年７月６日）以前における光電花子の容態変化を示す情報と、が表示されている。
【００５４】
図６は、適切な診療間隔の基準を示す図である。図６に示されるように、患者に微熱がある場合、当該患者の対応をすべき者は介護福祉士である。またこの場合、次回診療日までの間隔は五日以内である。患者が高熱である場合、当該患者の対応をすべき者は看護師である。またこの場合、次回診療日までの間隔は三日以内である。患者の高熱が数時間続いている場合、当該患者の対応をすべき者は医師である。またこの場合、次回診療日までの間隔は二日以内である。尚、一般的に、３８．０℃以上の高熱が続くと、肺炎を患っている可能性がある。
【００５５】
図４のステップＳ１３が行われた後の処理について、図５に戻って説明する。２０１８年７月５日及び同年７月６日における光電花子の体温は、３８．０℃以上である。このため、光電花子は肺炎を患っている可能性がある。このため、現時点（２０１８年７月６日）から二日以内（２０１８年７月８日以内）に、医師（本実施形態では光電太郎）が光電花子の診療を行う必要がある。しかし、光電太郎が光電花子を次に診療する日は２０１８年７月１０日である。現時点から光電太郎が光電花子を次に診療する日までの診療間隔は、四日間である。当該診療間隔は、図６に示された許容間隔を超えているので、生成部２１２は、当該診療間隔は不適切であると判断する。この場合、生成部２１２は、患者に関する診療間隔が適切でないことを示す情報として、光電太郎の次回診療予定日時である２０１８年７月１０日１３：００から１４：００の部分に付される赤色を含む表示用データを生成する。このため、当該表示用データが、サーバ２から情報機器１に送信されると、図７に示すように、情報機器１の表示部１１には、患者に関する診療間隔が適切でないことを示す情報（２０１８年７月１０日１３：００から１４：００の部分に付される赤色）を含む画面が表示される。尚、図７に示す実施形態では、色の代わりにハッチングが付されている。赤色に対応するハッチングは、右上から左下に傾斜する斜線である。これにより、医療介護従事者は、患者の状態に鑑みて不適切である診療間隔が設定されている箇所を容易に認識することができる。尚、診療間隔が不適切な箇所の表示方法は、色付けに限られないのは勿論である。例えば、患者の状態に鑑みて不適切な診療間隔であることを示すメッセージやクエスッションマーク等の記号を表示させてもよい。医療介護従事者は、診療間隔が不適切な箇所があることを認識し、当該箇所に係るスケジュールを変更する。
【００５６】
このように、医療介護従事者は、光電花子の容態変化に迅速に対応することができる。また、医療介護従事者は、訪問診療の頻度が適切であるか否かの判断を迅速かつ容易に行うことができる。光電花子の診療スケジュールにおいて、光電太郎の次回診療予定日時を２０１８年７月１０日１３：００から１４：００の間から２０１８年７月８日１３：００から１４：００の間に変更する場合、医療介護従事者は、操作部１２に医療介護従事者の患者別スケジュールを変更するための入力操作を行う。当該入力操作が行われると、図８に示す表示画面に変更される。尚、変更された部分は、例えば、水色が付される。水色に対応するハッチングは、縦線と横線が交差して成る格子状の線である。
【００５７】
さらに、本実施形態に示す表示画面には、ある患者（光電花子）に対する、複数の医療介護従事者（医師の光電太郎、看護師の光電彩子、介護福祉士の光電久美子）の患者別スケジュールが表示されているので、各職種間での連携を図ることもできる。
【００５８】
上記構成に係るサーバ２及びシステム１００によれば、患者の容態変化データと医療介護従事者の患者別スケジュールデータとに基づき、患者の容態変化と患者の診療スケジュールとを示す表示用データが生成される。そして、患者の容態変化は第一表示領域１１Ａに、患者の診療スケジュールは第二表示領域１１Ｂに、同時に表示される。このため、患者または医療介護従事者は、患者の容態変化に関する情報と患者の診療スケジュール情報を一つの表示画面で一緒に閲覧することができる。その結果、医療介護従事者は、各患者の容態変化に対応して、適切な頻度で患者に対して訪問診療を行うことができる。
【００５９】
上記構成に係るサーバ２及びシステム１００によれば、サーバ２の生成部２１２は、医療介護従事者の勤務スケジュール情報に基づいて、医療介護従事者の患者別スケジュールデータを生成することもできる。このため、例えば、医療介護従事者が情報機器１に勤務スケジュール情報を入力するだけで、患者別スケジュールデータが生成部２１２によって生成される。
【００６０】
上記構成に係るサーバ２及びシステム１００によれば、サーバ２の生成部２１２が、患者に関する診療間隔が適切ではないと判断したとき、生成部２１２は、当該患者に関する診療間隔が適切ではないことを示す情報を含む表示用データを生成する。そして、当該表示用データに基づく画面が、情報機器１の表示部１１に表示される。このため、医療介護従事者は、当該患者に関する診療間隔が適切ではない箇所があることを、視覚的に容易に認識することができる。
【００６１】
上記構成に係るサーバ２及びシステム１００によれば、情報機器１の表示部１１に表示される画面には、複数の医療介護従事者に関する患者別スケジュールが表示されるので、各職種間での連携を図ることもできる。
【００６２】
上記構成に係るサーバ２及びシステム１００によれば、サーバ２は、表示用データを生成する時点よりも少なくとも後の患者別スケジュールデータと、当該時点以前の患者の容態変化データを、を含む表示用データを生成し、情報機器１に送信する。情報機器１の表示部１１には、患者のこれまでに測定された生体情報と、当該患者に関する将来の診察スケジュールが表示される。このため、医療介護従事者は、患者の容態変化の把握と、当該患者に関する将来の診察スケジュールの確認を容易に行うこともできる。
【００６３】
上記構成に係るサーバ２及びシステム１００によれば、情報機器１の表示部１１に表示される画面において、患者の容態変化を示す情報は、時系列に並んでいる。また、患者の容態変化を示す情報は、グラフ化されている。このため、医療介護従事者は、患者の容態変化を視覚的に素早く認識することができる。
【００６４】
上記構成に係るサーバ２及びシステム１００によれば、サーバ２の生成部２１２は、患者の容態変化データと、患者別スケジュールデータと、測定者情報と、に基づき、表示用データを生成する。つまり、情報機器１の表示部１１に表示される画面には、患者の生体情報を測定した者を示す情報が表示される。このため、医療介護従事者は、患者の生体情報を測定した者を素早く認識することができる。
【００６５】
本実施形態では、医療介護従事者の患者に対する診療方式として、訪問診療を例に挙げて説明したが、この例に限られない。例えば、インターネットなどの通信技術を用いた遠隔診療や、患者が医療介護従事者のもとに赴く来訪診療であってもよい。
【００６６】
また、患者の生体情報及び容態変化に関するグラフ、並びに患者の診療スケジュールを表示する表示画面において、表示する日数は適宜変更してもよいし、月単位等で表示させてもよい。
【００６７】
（第二実施形態）
次に、図９を参照して、第二実施形態について説明する。第二実施形態は、サーバ２の生成部２１２が生成する表示用データにおいて、第一実施形態と異なる。より具体的には、第二実施形態に係るサーバ２は、患者に対する医療介護従事者の診療間隔は不適切であると判断すると、生成部２１２は、医療介護従事者の患者別スケジュールデータと、患者の容態変化データと、適切な診療間隔に関する情報と、に基づいて変更候補データを生成する。変更候補データとは、患者に関する診療間隔が適切でない場合における、医療介護従事者の患者別スケジュールの変更案（変更候補スケジュール）に関するデータである。また、第二実施形態において、患者別スケジュールの変更案（変更候補スケジュール）は、情報機器１の表示部１１に表示される。
【００６８】
変更候補データが生成されると、変更候補データは保存部２１１に保存されるとともに、情報機器１に送信される。そして、情報機器１の表示部１１には、当該変更候補データに基づく患者別スケジュールの変更案（変更候補スケジュール）が表示される。本実施形態では、不適切である診療間隔が設定されている箇所（２０１８年７月１０日１３：００から１４：００の部分）に赤色が付されるとともに、変更候補スケジュールとして、２０１８年７月８日１３：００から１４：００の部分にオレンジ色が付されている。赤色に対応するハッチングは、右上から左下に傾斜する斜線である。また、オレンジ色に対応するハッチングは、二本の斜線が交差して成る格子状の線である。このため、医療介護従事者は、赤色が付された箇所が不適切であることと、オレンジ色が付された箇所が変更候補スケジュールであることと、を容易に認識することができる。なお、表示部１１に表示される変更候補スケジュールは一つでなく、複数あってもよい。
【００６９】
上記構成に係るサーバ２及びシステム１００によれば、患者に対する医療介護従事者の診療間隔は不適切である場合、医療介護従事者の患者別スケジュールの変更案（変更候補スケジュール）に関するデータである変更候補データがサーバ２によって生成される。このため、医療介護従事者は、手動で自身の勤務スケジュール情報を変更する必要がなくなる上、不適切な診療間隔が生じることを減らすことができる。
【００７０】
本実施形態では、測定者情報に基づいて、グラフＧ１及びグラフＧ２上にプロットされた点を色付けする例を用いて説明したが、この例に限られない。例えば、生体情報を測定した者を示す記号やアイコンをプロットされた点の上部に表示させてもよい。
【００７１】
本実施形態では、第一表示領域１１Ａと第二表示領域１１Ｂは上下方向に並んで配置されているが、この例に限られない。第一表示領域１１Ａと第二表示領域１１Ｂは、例えば、左右方向に並んで配置されていてもよい。また、測定情報や勤務スケジュール情報に加えて投薬タイミング等の情報も適宜表示しても良い。また、第一表示領域１１Ａのみを表示し、第二表示領域１１Ｂに表示していた事項は日付にマウスカーソルが重なった際にのみ表示される形式（いわゆるツールチップ）で表示されても良く、その他の表示形式で表示されても良い。
【００７２】
本実施形態において、情報機器１に表示される表示部１１には、現時点（２０１８年７月６日）以前および現時点よりも後の患者（光電花子）の診療スケジュールと、現時点以前における患者の容態変化を示す情報と、が表示されているがこれに限られない。例えば、現時点よりも後の患者の診療スケジュールと現時点以前における患者の容態変化を示す情報のみ、表示部１１に表示されても良い。つまり、現時点以前の患者の診療スケジュールは、表示部１１に表示されなくても良い。
【００７３】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００７４】
１：情報機器、２：サーバ、３：測定機器、４：ゲートウェイ機器、Ｎ：ネットワーク、１００：システム
【図１】
2020170229.tif 000003
【図２】
2020170229.tif 000004
【図３】
2020170229.tif 000005
【図４】
2020170229.tif 000006
【図５】
2020170229.tif 000007
【図６】
2020170229.tif 000008
【図７】
2020170229.tif 000009
【図８】
2020170229.tif 000010
【図９】
2020170229.tif 000011